(57)【要約】【課題】双眼鏡等の望遠鏡で天空を座ったまま容易に観察出来ること。【解決手段】双眼鏡の取り付け位置を、座った観察者の目位置変化を双眼鏡の仰角の変化に追従できる範囲指定と上下、前後の双眼鏡位置調整機能を持たせ、双眼鏡をスプリングで吊り片持ち荷重の解決による小型化と回転テーブル上に補助ステーによる光学系保持構造体と観察者保持機能を分離による振動減少を図った組立て分解可能な収納と搬送に優れた機能を有する星空観察装置。【選択図】図１
2004070258.tif 000002
【特許請求の範囲】
【請求項１】
観察者頭部横に設置した回転部と連結した双眼鏡固定アームに双眼鏡を取り付け、仰角に対応する機構で、双眼鏡接眼レンズ覗き側中心と回転部中心の距離が２０ｍｍの所から６０ｍｍの範囲、双眼鏡接眼レンズ光軸と回転部中心の上下の位置相違が上下３０ｍｍで囲む範囲に双眼鏡を双眼鏡固定アームに設置できる事を特徴とする星空観察装置。（図７．参照）
【請求項２】
回転部から外側に伸びた、双眼鏡及び双眼鏡を支える双眼鏡固定アームの重量を、回転部を保持する回転部取り付け金具の上部から双眼鏡固定アームへ吊りスプリングと開き止めのストップワイヤーで結び、吊りスプリングで上方へ引っ張る事により重量を相殺する構造を特徴とする星空観察装置。（図２．参照）
【請求項３】
観察者に対する双眼鏡接眼部の上下位置調整が、垂直に設置した円筒形の主支柱に取り付けた双眼鏡を保持する回転部取り付け金具の主支柱に対する上下の取り付け位置を変えることにより得られ、また観察者に対する双眼鏡接眼部の前後位置調整が、回転部取り付け金具の主支柱に対する水平回転位置を変える事で得られる構造を特徴とする星空観察装置。（図２．４．５参照）
【請求項４】
回転テーブルの中央に設置した椅子に座った観測者の側面から回転テーブルより垂直に主支柱を設置し、観測者の背面及び側面に設けた斜めの二つの左右ステーと前後ステーを主支柱上部と回転テーブル端部とを連結する事により主支柱の構造的な強度を持たせた事を特徴とする星空観察装置。
【請求項５】
観測者が座る椅子の背もたれへ、ヘッドレスト機構を設け観測者頭部と双眼鏡の位置決めする機能や、双眼鏡で高角度の天体を観察する場合、後頭部を支え首筋の疲労を軽減する事を特徴とする星空観察装置。（図６．参照）
【請求項６】
主支柱から双眼鏡を保持する回転部取り付け金具、ストップリングが分解でき、回転テーブルから椅子、主支柱、左右ステー、前後ステーが分解でき、椅子からヘッドレスト機構が分解出来る事を特徴とする星空観察装置。
【発明の詳細な説明】
【０００１】
【発明の属する技術分野】
本発明は、観察者と観測装置が同一の回転テーブルに載り同一の方位を向き、仰角を調整出来る機構に取り付けた双眼鏡等の望遠鏡でさまざまな天空を観察出来ることを可能にする組立て分解可能な星空観察装置であり、観察者搭載の経緯台式天体望遠鏡に関する。
【０００２】
【従来の技術】
観測者が椅子に座ったまま、双眼鏡で天体を観察する装置で一般的に普及している物は無い。構想や自作例は天文雑誌等に掲載されるが、殆どが回転椅子の背もたれを強化し、背もたれの頭部に位置する後方に回転部を持つ腕を観測者の前面に伸ばし、これに双眼鏡を取り付け、双眼鏡の反対側の腕に双眼鏡の釣り合い錘を取り付ける装置が大半である（図８．参照）。一般には双眼鏡で天体観察を行う場合、双眼鏡を手持ちで、或いは写真用三脚へ双眼鏡を取り付けて天体を観察する。
【０００３】
【発明が解決しようとする課題】
従来の一般の方法では、ほとんど多数である光学系が直視型の双眼鏡は、天空に双眼鏡を向けた状態で観察する際、双眼鏡の手持ち観察では腕の疲労と手ぶれの拠る像の揺れで満足に見えない。写真用三脚へ取り付けた双眼鏡で天体を観察する場合、腕の疲労と手ぶれは解消されるが三脚の下から上に向かって双眼鏡の接眼鏡を覗き込まねばならず、無理な姿勢を強いられる。従って仰角４５度を越える天空を覗く姿勢が苦しくなり天頂付近の天体の観察は無理な姿勢と身体が三脚に遮られ困難である。また身体が同じ位置で観察できる方位も正面に限られ、左右または背面方向に有る天体を観察する場合、三脚に対し身体の位置と双眼鏡の向きも大幅に変えなければならない。
従来の構想の観測者が椅子に座ったまま、双眼鏡で天体を観察する装置では、双眼鏡を椅子で支える為、椅子に座った観測者の挙動が振動として光学系に伝わり易い。更に振動に敏感な光学系の揺れを抑える為、椅子に高い剛性が求められ安定した水平回転を得るため椅子の脚部が大きくしかも重くなる。従って装置全体が大きく重くなる。また、従来の装置では、観察者の目と光学系光軸を容易に一致させ接眼鏡との適切な距離を保ち有効な視野を確保する配慮が不十分である。
【０００４】
本発明はこのような問題に鑑みてなされたものであり、その目的とするところは、双眼鏡等の比較的低倍率の望遠鏡で天空を観察する場合、光学機器を構造体で保持して重量から身体を開放し、かつ安定した視野を確保し、光学系に対し身体を無理な姿勢せず、また光学系に対し首の角度以外は身体の位置を変えないで安定して長時間天空を観察できる装置を提供することにある。
【０００５】
【課題を解決する為の手段】
上記目的を達成する為に本発明は、回転テーブルにて水平回転を得、回転テーブル上の椅子に観察者を乗せ、同じく回転テーブル上に設けた主支柱に双眼鏡の仰角を制御する機構を取り付け、双眼鏡を観察者の目の位置に合せることにより天空を観察出来るようにしたものである。
【０００６】
回転部を最下に配置し回転テーブルに拠る水平回転とし回転テーブル上に観測者を支える椅子と光学系を支える構造体を別個に設置した。これにより椅子に座った観測者の挙動が振動として光学系に伝わりにくい。また椅子自体の剛性が強く求められなくなり実施例では折り畳みキャンプ椅子となっていて、小型軽量で優れた収納性が得られる。
【０００７】
椅子上部には、背もたれを兼ねた取り外し可能のヘッドレスト機構を設け、ヘッドレストが後頭部を支える事により、双眼鏡と頭部の位置を決めやすく、高角度の天空を覗いた場合、頭部の重量を背中及び首筋の疲労を軽減できる。ヘッドレストは圧縮スプリングで支えられ上からの反力があり、上下位置を調整でき観測者の最適な後頭部位置に設定できる。
【０００８】
光学系を支える構造体は、回転テーブル上の観測者横に設置した取り外し可能の主支柱と主支柱を支える左右ステー及び前後ステーから構成される。左右ステー及び前後ステーは、約９０度の開角を持って主支柱上部と回転テーブル端部を接続し、軽量で強固な構造体を形成する。
【０００９】
主支柱は円筒形で、双眼鏡を取り付け仰角に対応する機構部が取り付けられる。同機構部全体が上下に位置を変えて固定する事で、観測者の目の高さと光学系の高さの調整を得、また同機構部全体が水平に回転して位置を変え固定する事により観測者の目と光学系の前後の位置が調整を得る。更に同機構部を大きく観測者の前方へ移動すれば観測者の離席と着席が容易となる。
【００１０】
双眼鏡を取り付け、仰角の変化に観察者の目を追従させる手段は回転部に取り付けた双眼鏡固定アームに接眼レンズの覗き面を、回転部中心から約４０ｍｍ前後離れた外側位置に設定すると観測者が上下に首を動かした場合の目の動きに近似するので、この位置の近辺に双眼鏡を双眼鏡固定アームに固定する。
【００１１】
双眼鏡及び双眼鏡固定アームの重量をスプリングに拠り上方へ引っ張ることにより従来の装置にある釣り合い錘と長い腕が不要となり、装置の小型化と軽量化が図られる。
【００１２】
回転テーブルと椅子、ヘッドレスト機構部、主支柱、左右ステー及び前後ステーを、止めネジを緩め分解可能とする事で、簡便な組立て性と収納性、搬送が容易な、椅子に座って双眼鏡で天体を観察する星空観察装置が実現できる。
【００１３】
【発明の実施の形態】
図１．において、回転テーブル３上に椅子２１と主支柱４が設けられ、前後ステー６と左右ステー８が主支柱４を約９０度の開角で回転テーブル３の端部から補強する。双眼鏡２９が双眼鏡固定アーム１７に取り付けられ仰角が回転部１４により制御される。回転部１４は回転部取り付け金具１３に固定され主支柱４へ接続される。双眼鏡２９及び双眼鏡固定アーム１７は、吊りスプリング１９により上方へ引っ張られその重力を打ち消される。下方への行き過ぎをストップワイヤー２０が防止する。なお回転部１４に回転抵抗を与え、吊りスプリング１９の張力及び取り付け位置を最適化すると双眼鏡２９の上下角度のフリーストップ化が可能である。ヘッドレスト２２が椅子２１の上部に設けられヘッドレストステー２６に沿いヘッドレスト２２が上下に動き、圧縮スプリング２５を介してヘッドレスト金具２３にてヘッドレストステー２６へ固定される。回転テーブル３は回転ベース１へベアリング２を介して取り付けられベアリング２により水平回転する。
【００１４】
図２．に示される実施例では、双眼鏡２９及び双眼鏡固定アーム１７が約３０度の仰角に向いている状態を表す。仰角は回転部１４の回転固定ネジ１５を締めることにより角度が固定され、回転微動ハンドル１６により微調整が出来る。上記機構は、回転部取り付け金具１３により主支柱４へ任意の位置へ固定される。観測者の目の高さと双眼鏡２９の接眼レンズ高さを回転部取り付け金具１３の取り付け高さで調整する。ストップリング１２は回転部取り付け金具１３の止めネジ１０を緩めた場合の落下防止である。観測者の目と双眼鏡２９の接眼レンズの前後位置を合せる場合、平面図の図４．で示す様に、主支柱４への回転部取り付け金具１３の固定を観測者眼部に寄せて固定すると双眼鏡２９の接眼レンズが引き寄せられる。反対に平面図の図５．で示す様に、主支柱４への回転部取り付け金具１３固定を観測者眼部から離れて固定すると前方へ双眼鏡２９の接眼レンズが移動する。なお、図５．の様に大きく双眼鏡２９を移動すると本発明装置からの離席が容易となる。
【００１５】
図３．に示される実施例では、椅子２１の上部にヘッドレストステー２６が左右で接続されヘッドレスト金具２３がヘッドレストステー２６上下の任意の位置へステー止めネジ２８で固定される。圧縮スプリング２５の上にはヘッドレスト２２が載っており、ヘッドレストステー２６に沿って上からの圧力で上下する。これは図６．に示すように双眼鏡２９の仰角が大きくなったときに観察者の後頭部を支え頭部の重量を支えるため、首筋の疲労が少ない。また、ヘッドレストカバー２７と共に背もたれを形成し観察者の姿勢安定に寄与する。またヘッドレストステー２６は弾力のあるフレームで出来ており観測者背後へしなる事により、観測者の着座、離座が容易である。
【００１６】
図７．の実施例では、回転部１４と双眼鏡固定アーム１７に取り付けられた双眼鏡２９の位置関係を表す。斜線で示した範囲内に双眼鏡２９接眼レンズの中心を設定し観察者の目の位置を最適化すると、双眼鏡２９の仰角を水平より約７０度の角度まで変化させてもそのまま覗ける。
【００１７】
図１．の実施例では、止めネジ１０、固定蝶ネジ１１、を緩めると、回転テーブル３より回転部取り付け金具１３、ストップリング１２、主支柱４、前後ステー６、左右ステー８が分解される。椅子２１は主支柱取り付け金具５及び左右ステー取り付け金具９のはめ込み穴から外せる。図２の実施例では、ヘッドレストステー２６は椅子２１のステー止めネジ２８を緩める事によりヘッドレスト２２の部分が外れる。これにより装置の収納と搬送が容易となる。
【発明の効果】
本発明は、以上説明したように構成されているので、以下に記載されるような効果を奏する。
天体の観察に使用される対物レンズ径５ｃｍから７ｃｍの比較的大型の双眼鏡で天空を観察する場合、椅子に座ったまま観察でき、三脚に双眼鏡を固定した場合と比べ首の疲れが少なく方位と仰角の変更も容易である。また双眼鏡を観察者の座高に合せられ観察者の好みの観察位置が得られる。この事から人間中心の観察装置であり身体的弱者にも使い易い。装置として簡素で使いやすく、小型で分解可能により収納と搬送が容易な装置であるため星空の暗い場所に運び、美しい星空を楽しめる。また装置から離席又は着席が容易で星図や更に大きな天体望遠鏡での確認もしやすい。この装置は星空だけでなく地上の長時間観察、例えばバードウォッチング等にも有効である。
【図面の簡単な説明】
【図１】実施例のアイソメトリック図であって全体形状及び構成を表す。
【図２】双眼鏡仰角装置部分の説明をした側面図である。
【図３】ヘッドレスト部分の説明をした正面図である。
【図４】双眼鏡と観察者の前後密着位置に付いて説明をした平面図である。
【図５】双眼鏡と観察者の前後乖離位置に付いて説明をした平面図である。
【図６】ヘッドレストの説明図である。
【図７】回転部と双眼鏡固定アームに取り付けられた双眼鏡の位置関係を表す図である。
【図８】従来考案された、双眼鏡で星空を見る椅子の図である。
【符号の説明】
１．回転ベース
２．ベアリング
３．回転テーブル
４．主支柱
５．主支柱取り付け金具
６．前後ステー
７．前後ステー取り付け金具
８．左右ステー
９．左右ステー取り付け金具
１０．止めネジ
１１．固定蝶ネジ
１２．ストップリング
１３．回転部取り付け金具
１４．回転部
１５．回転固定ネジ
１６．回転微動ハンドル
１７．双眼鏡固定アーム
１８．双眼鏡固定ネジ
１９．吊りスプリング
２０．ストップワイヤー
２１．椅子
２２．ヘッドレスト
２３．ヘッドレスト金具
２４．ヘッドレスト金具止めネジ
２５．圧縮スプリング
２６．ヘッドレストステー
２７．ヘッドレストカバー
２８．ステー止めネジ
２９．双眼鏡
３０．観察者頭部
【図１】
2004070258.tif 000003
【図２】
2004070258.tif 000004
【図３】
2004070258.tif 000005
【図４】
2004070258.tif 000006
【図５】
2004070258.tif 000007
【図６】
2004070258.tif 000008
【図７】
2004070258.tif 000009
【図８】
2004070258.tif 000010